(57)【要約】【課題】本発明は、一人でもベッドと介助用車椅子間の移動を、重労働になることなく、容易にスムーズに行うことができる車椅子を得るにある。【解決手段】座部となる部位よりも下部に少なくとも３個以上の車輪が取付けられた車椅子本体と、この車椅子本体の背もたれ部に、側方にスライド移動して突出することができるように取付けられたシートバックと、このシートバックに着脱可能に取付けられたシート材とで車椅子を構成している。【選択図】図１
2005034164.tif 000002
【特許請求の範囲】
【請求項１】
座部となる部位よりも下部に少なくとも３個以上の車輪が取付けられた車椅子本体と、この車椅子本体の背もたれ部に、側方にスライド移動して突出することができるように取付けられたシートバックと、このシートバックに着脱可能に取付けられたシート材とからなることを特徴とする車椅子。
【請求項２】
座部となる部位よりも下部に少なくとも３個以上の車輪が取付けられた車椅子本体と、この車椅子本体の背もたれ部に、左右方向にスライド移動可能に取付けられた可動部材と、この可動部材に側方にスライド移動して突出することができるように取付けられたシートバックと、このシートバックに着脱可能に取付けられたシート材とからなることを特徴とする車椅子。
【請求項３】
座部となる部位よりも下部に少なくとも３個以上の車輪が取付けられた車椅子本体と、この車椅子本体の座部となる部位に配設されるシート材と、前記車椅子本体に取付けられた、前記シート材を着脱可能に取付けるとともに、該シート材を側方に回動させて突出させることができる可動アームとからなることを特徴とする車椅子。
【請求項４】
座部となる部位よりも下部に少なくとも３個以上の車輪が取付けられた車椅子本体と、この車椅子本体の座部となる部位に配設されるシート材と、前記車椅子本体の背もたれ部に、左右方向にスライド移動可能に取付けられた可動部材と、この可動部材に取付けられた、前記シート材を着脱可能に取付けるとともに、該シート材を側方に回動させて突出させることができる可動アームとからなることを特徴とする車椅子。
【発明の詳細な説明】
【０００１】
【発明の属する技術分野】本発明は介助する場合等に使用される車椅子に関する。
【０００２】
【従来の技術】
従来、介助する場合等に使用される車椅子は、車輪を有する車椅子本体の座席の上面横方向に、平行するガイドレールが設けられるとともに、このガイドレール上を走行するように移動座席が取付けられ、介助する人が移動座席をベッド上にスライド移動させて該移動座席上に介助される人を乗せるように構成されている。
【０００３】
【特許文献】特開２００１−３２１４０２
【０００４】
【発明が解決しようとする課題】
従来の介助用車椅子は、介助される人を乗せる場合、一旦、介助される人を横向きにさせた状態で移動座席を所定位置にスライド移動させ、該移動座席上に乗せる作業を行うが、介助する人は、車椅子と介助される人との取扱いの双方に気を使わなければならないとともに、この作業では、車椅子本体が邪魔になり、前のめり状態等、窮屈な体勢で介助される人を移動座席上に乗せなければならないため、重労働になるという欠点があった。このため、一人では介助しづらいという欠点があった。
【０００５】
本発明は以上のような従来の欠点に鑑み、一人でもベッドと介助用車椅子間の移動を、重労働になることなく、容易にスムーズに行うことができる車椅子を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は、座部となる部位よりも下部に少なくとも３個以上の車輪が取付けられた車椅子本体と、この車椅子本体の背もたれ部に、側方にスライド移動して突出することができるように取付けられたシートバックと、このシートバックに着脱可能に取付けられたシート材とで車椅子を構成している。
【０００８】
【発明の実施の形態】
以下、図面に示す実施の形態により、本発明を詳細に説明する。
【０００９】
図１ないし図９に示す本発明の第１の実施の形態において、１はリクライニングベッド２等での、寝たきりの介助される人３を容易に乗せることができる本発明の車椅子で、この車椅子１は、座部４となる部位よりも下部に少なくとも３個、本発明の実施の形態では前方部寄りの部位の両側部寄りの部位に２個の自在車輪５、５、後方両側部に２個の固定車輪６、６、前記自在車輪５、５よりも前方に位置する両側部に２個の補助車輪７、７が取付けられた車椅子本体８と、この車椅子本体８の背もたれ部９に、第１の上下のスライド支持バー１０、１０を介して左右方向にスライド移動可能に取付けられた可動部材１１と、この可動部材１１に、第２の上下のスライド支持バー１２、１２を介して側方にスライド移動して突出することができるように取付けられたシートバック１３と、このシートバック１３の上方両側部に取付けられたフック１４、１４に、吊り上げ用バンド１５、１５によって着脱可能に取付けられたシート材１６とで構成されている。
【００１０】
前記車椅子本体８は、パイプ材を用いて形成された、前記２個の自在車輪５、５、２個の固定車輪６、６、２個の補助車輪７、７を備えるとともに、座部４および背もたれ部９を形成したフレーム１７と、このフレーム１７に一体あるいは溶接等によって固定された、上部後方へ突出する一対の取っ手１８、１８と、前記フレーム１７の前方両側部寄りの下部に溶接等によって固定された一対の足支持台１９、１９と、前記フレーム１７の側部の下部に着脱可能に係止された、未使用時は該フレーム１７の内方に収納状態にすることができる転倒防止用の足押さえ板２０とで構成されている。
【００１１】
前記フレーム１７に備えられた２個の自在車輪５、５および２個の固定車輪６、６は、ホイルベースが比較的短くなるように設計されているとともに、常時接地するように設けられている。また、２個の補助車輪７、７は、前記２個の自在車輪５、５および２個の固定車輪６、６はよりも約１０ミリメートル浮いた位置に配設されている。これにより、前記２個の自在車輪５、５および２個の固定車輪６、６はホイルベースが短く小回りがきくため、狭い場所であっても効率よく使用することができるとともに、２個の補助車輪７、７によって、段差の乗り越えや乗り降りが楽に行うことができ、また、誤って転倒してしまう不具合も回避することができる。
【００１２】
前記可動部材１１は、前記車椅子本体８の背もたれ部９に一体あるいは溶接等によって固定された第１の上下のスライド支持バー１０、１０にそれぞれ左右方向にスライド移動可能に取付けられた可動部材本体２１、２１と、この可動部材本体２１、２１に一体あるいは溶接等で固定された支持板２２と、この支持板２２の背面に溶接等によって固定された、前記第１の上下のスライド支持バー１０、１０間に配設され、該支持板２２の側方よりも突出して形成された第２の上下のスライド支持バー１２、１２とで構成されている。
【００１３】
前記シートバック１３はシートバック本体２３、このシートバック本体２３の背面の反突出側寄りの部位に複数個のネジ２４によって固定された、前記第２の上下のスライド支持バー１２、１２にスライド移動可能に取付けられた支持体２５、２５と、前記シートバック本体２３の上方両側部に固定されたフック１４、１４と、前記シートバック本体２３の両端部に後端部が固定され、先端部に取付けられた係止片２６、該係止片２６と着脱可能に係合する係合片２７とからなる、介助される人３を支持する支持ベルト２８とで構成されている。なお、前記シートバック本体２３には、金属性のパイプ材などで形成された補強フレーム２９が内臓され、前記フック１４、１４および支持ベルト２８の端部はこの補強フレーム２９にネジ固定、溶接等によって固定されている。
【００１４】
前記シート材１６はクッション材で形成されたシート材本体３０と、このシート材本体３０の前後両側部に取付けられた、左右の吊り上げ用バンド１５、１５をそれぞれ通すことができる支持金具３１と、この支持金具３１に通された上方に固定用金具１５ａが取付けられた左右の吊り上げ用のバンド１５、１５とで構成されている。なお、シート材本体３０には、例えば仮想線で示した部位に開口部を設けてもよい。
【００１５】
上記構成の車椅子１は、寝たきりの介助される人３が寝ているリクライニングベッド２の側面に位置させる。しかる後、シートバック１３のフック１４、１４から左右の吊り上げ用のバンド１５、１５を外してシート材１６を取り外し、図７に示すように、シート材１６のシート材本体３０上に介助される人３の少なくとも臀部が乗るようにあてがう。この際、介助される人３の両側部に左右の吊り上げ用のバンド１５、１５が配されるようにする。
【００１６】
次に、介助される人３の上半身を起し、あるいは、リクライニングベッド２を回動させて介助される人３を座った状態にしてから、シートバック１３をスライド移動させて介助される人３の背中にあてがい支持ベルト２８で締め付け固定する。
【００１７】
次に、図８に示すように、シート材１６の左右の吊り上げバンド１５、１５を前記シートバック１３のフック１４、１４に取付ける。この際、必要に応じてリクライニングベッド２を上下移動させたり、車椅子本体８に上下方向に昇降可能な機構が備えられている場合には、当該機構によって車椅子本体８を上下移動させて調節してから取付けると更に効率よく取付けることができる。
【００１８】
次に、足押さえ板２０を踏んだ状態で、介助される人３を車椅子本体８方向へスライド移動させることにより、図９に示すように車椅子１に介助される人３が乗った状態となる。この状態で、一対の取っ手１８、１８を介助する人が持って、移動させて使用する。なお、この場合、介助される人３はシートバック１３に取付けられた左右の吊り上げバンド１５、１５を持つことにより、安定した移動をすることができる。また、左あるいは右に配された車椅子１からリクライニングベッド２への移動は、前述と逆の操作を行うことにより、容易に行うことができる。
【００１９】
【発明の異なる実施の形態】
次に、図１０ないし図２５に示す本発明の異なる実施の形態について説明する。なお、これらの本発明の異なる実施の形態の説明に当って、前記本発明の第１の実施の形態と同一構成部分には同一符号を付して重複する説明を省略する。
【００２０】
図１０ないし図１４に示す本発明の第２の実施の形態において、前記本発明の第１の実施の形態と主に異なる点は、車椅子本体８と、この車椅子本体８の座部２となる部位に配設されるシート材１６Ａと、前記車椅子本体８の背もたれ部９に、左右方向にスライド移動可能に取付けられた可動部材１１Ａと、この可動部材１１Ａに取付けられた、前記シート材１６Ａを着脱可能に取付けるとともに、該シート材１６Ａを側方に回動させて突出させることができる可動アーム３２とで車椅子１Ａを構成した点で、このように構成された車椅子１Ａにしても前記本発明の第１の実施の形態と同様の作用効果が得られるとともに、車椅子１Ａの左右方向のいずれかの方向にも選択してシート材１６Ａを移動させて使用することができる。
【００２１】
前記シート材１６Ａは、布材、革材等で形成されたシート材本体３２Ａと、このシート材本体３２Ａの前後両側部に一体あるいは固定された、先端部に固定用金具３３がそれぞれ取付けられた４本の吊り上げ用バンド１５Ａ、１５Ａ、１５Ａ、１５Ａとで構成されている。
【００２２】
前記可動部材１１Ａは、前記車椅子本体８の背もたれ部９に一体あるいは溶接等によって固定された第１の上下のスライド支持バー１０、１０にそれぞれ左右方向にスライド移動可能に取付けられた可動部材本体２１、２１と、この可動部材本体２１、２１に一体あるいは溶接等で固定された、上方に配された可動部材本体２１の上部を覆うようにＬ字状に曲げ加工された支持板２２Ａとで構成されている。
【００２３】
前記可動アーム３２は、前記可動部材１１Ａの支持板２２Ａの上部に上方に突出するとともに、左右方向に回動可能に取付けられたフランジ３４ａを有する支持柱３４と、この支持柱３４の先端部に水平方向に延設された、前記車椅子本体８の座部４の上方に配されることができる略Ｖ字状のアーム本体３５と、このアーム本体３５の先端部および先端部寄りの部位に一体あるいは固定された、前記シート材１６Ａの吊り上げ用バンド１５Ａ、１５Ａ、１５Ａ、１５Ａを着脱可能に取付けるフック３６、３６、３６、３６とで固定されている。
【００２４】
図１５および図１６に示す本発明の第３の実施の形態において、前記本発明の第１の実施の形態と主に異なる点は、背もたれ部９の中央部寄りの部位に第１の上下のスライド支持バー１０、１０を設けた車椅子本体８Ａを用いるとともに、支持板２２の背面の上下部に一体あるいは溶接等によって固定された、第２の上下のスライド支持バー１２、１２を有する可動部材１１Ｂを用いた点で、このような可動部材１１Ｂおよび車椅子本体８Ａを構成した車椅子１Ｂにしてもよい。なお、本発明の実施の形態および前記本発明の第１の実施の形態では、上下に２本で構成された第１の上下のスライド支持バー１０、１０および第２の上下のスライド支持バー１２、１２を用いるものについて説明したが、本発明はこれに限らず、左右方向にスライド移動させることができる構成であれば、例えば、本、３本、４本等で構成してもよい。
【００２５】
図１７ないし図１９に示す本発明の第４の実施の形態において、前記本発明の第１の実施の形態と主に異なる点は、下方両端部にシート保持バー固定用金具３７、３７が溶接等で固定されたシートバック１３Ａと、このシートバック１３Ａのフック１４、１４にそれぞれ固定される、先端部に固定金具３８が取付けられた吊り上げ用バンド１５Ｂ、１５Ｂ、この吊り上げ用バンド１５Ｂ、１５Ｂの後端部に固定金具３９を介して取付けられた、前記シート保持バー固定用金具３７、３７に着脱可能に取付けられるフック４０を有するシート保持バー４１、４１、このシート保持バー４１、４１が挿通されて取付けられる中央部に開口部３０ａを有する布製のシート材本体３０Ｂとからなるシート材１６Ｂとを用いた点で、このシート材１６Ｂおよび前記シートバック１３Ａを構成した車椅子１Ｃにしても前記本発明の第１の実施の形態と同様の作用効果が得られる。
【００２６】
なお、シート保持バー４１、４１の前端部には、上下方向に回動するとともに、所定位置で段階的に係止・解除させることができる回動機構４２を介して、介助される人３のふくらはぎ等を支えることができるふくらはぎクッション４３が取付けられている。
【００２７】
図２０および図２１に示す本発明の第５の実施の形態において、前記本発明の第２の実施の形態と主に異なる点は、車椅子本体８の背もたれ部９に固定されたシートバック１３Ｂと、前記車椅子本体８のフレーム１７の一対の取っ手１８、１８形成部位に複数個のボルト挿通孔が形成された左右の固定板４４、４４を溶接等で固定して設けるとともに、この左右の固定板４４、４４のうち、一方の固定板４４に複数個のボルト４５、ナット４６によって可動アーム３２Ａを着脱可能に取付けた点で、このような可動アーム３２Ａを用いて構成した車椅子１Ｄにしても前記本発明の第２の実施の形態と同様の作用効果が得られる。
【００２８】
なお、前記可動アーム３２Ａは、支持柱３４Ａと、この支持柱３４Ａの先端部に螺合等で着脱可能に取付けられた固定部材４７によって固定された、選択的に天地をひっくり返して取付けることができる略レ字状のアーム本体３５Ａと、このアーム本体３５の先端部および先端部寄りの部位に着脱可能に固定された、シート材１６Ａの吊り上げ用バンド１５Ａ、１５Ａ、１５Ａ、１５Ａを着脱可能に取付けるフック３６、３６、３６、３６とで固定されている。この可動アーム３２Ａを他方の固定板４４に取付ける場合は、図２０に示すように、アーム本体３５Ａの天地をひっくり返すとともに、フック３６を上下反対に付け直してから支持柱３４Ａに取付けて使用する。
【００２９】
図２２ないし図２５に示す本発明の第６の実施の形態において、前記本発明の第１の実施の形態と主に異なる点は、補強フレーム２９Ａの両側部に配されたバー２９ａ、２９ａに上下方向に回動可能となる肘のせ４８、４８を取付けたシートバック１３Ｃと、このシートバック１３Ｃの上方両側部に固定されたフック１４Ａ、１４Ａおよび前記肘のせ４８、４８に取付けられた取付金具４９、４９、４９、４９に、吊り上げ用バンド１５Ｃ、１５Ｃおよび垂下バンド５０、５０、５０、５０によって着脱可能に取付けられた、中央部に開口部３０ａを形成したシート本体３０Ｃからなるシート材１６Ｃを用いた点で、このように構成されたシートバック１３Ｃおよびシート材１６Ｃを用いて構成した車椅子１Ｄにしても前記本発明の第１の実施の形態と同様の作用効果が得られる。
【００３０】
なお、前記シートバック１３Ｃの肘のせ４８、４８は、補強フレーム２９Ａのバー２９ａ、２９ａに複数個のボルト５１等で着脱可能に任意の高さ位置で取付けられることができる分割支持金具５２、５２の各外側部に、後端部が枢支ピン５３を介して取付けられている。また、先端部には、介助される人３が前方に落ちないようにするとともに、座部４の形成状態を補強する補強パイプ５４が着脱可能に取付けられている。
【００３１】
また、前記吊り上げ用バンド１５Ｃは、後端部に前記シートバック１３Ｃのフック１４Ａに取付けられるリング状の固定用金具１５ａを有し、先端部には前記シートバック１３Ｃの肘のせ４８、４８に取付けられた取付金具４９に取付けられる略Ｃ字状の固定用金具１５ｂを有している。この場合、固定用金具１５ａ、１５ｂは、リング状や略Ｃ字状のものに限らず、Ｊ字状やＵ字状等のものを用いてもよい。
【００３２】
さらに、前記垂下バンド５０は、後端部が前記シート本体３０Ｃに固定され、先端部には、前記取付金具４９に取付けられる略Ｃ字状の固定用金具５０ａを有している。この場合、固定用金具５０ａは、略Ｃ字状のものに限らず、Ｊ字状やＵ字状等のものを用いてもよく、前記取付金具４９がＪ字状等の開放部を有している場合には、リング状のものを用いてもよい。
【００３３】
なお、本発明の各実施の形態ではシートバック１３、１３Ａ、１３Ｃや可動アーム３２、３２Ａを手動でスライド移動等させるものについて説明したが、本発明はこれに限らず、シートバック１３、１３Ａ、１３Ｃや可動アーム３２、３２Ａを電動や油圧シリンダー、エアシリンダーを用いてスライド移動等させるように構成してもよい。また、前記本発明の各実施の形態では寝たきりの介助される人３が使用する場合について説明したが、本発明はこれに限らす、身体の不自由な人が車等の乗り降り時やその他の使用に使用してもよい。
【００３４】
また、本発明の各実施の形態では車椅子本体８が上下に昇降しないものについて説明したが、本発明はこれに限らす、電動や油圧シリンダー、エアシリンダー等を用いて上下方向に昇降可能に構成してもよい。
【００３５】
さらに、本発明の各実施の形態では車椅子本体８のフレーム１７に足押さえ板２０を構成したものについて説明したが、本発明はこれに限らす、介助される人３の車椅子１への移動時に車椅子１自体が倒れないようにするために、当該足押さえ板２０の変わりに錘を用いた固定手段や、周りの家具等へ係止等することで転倒を防止することができる固定手段等を用いて構成してもよい。
【００３６】
また、本発明の各実施の形態では車椅子本体８の下部に２個の自在車輪５、５、２個の固定車輪６、６および２個の補助車輪７、７を備えたものについて説明したが、本発明はこれに限らず、走行時等に安定する構成であれば、例えば、補助車輪７、７を用いないで構成したり、１個の固定車輪６で構成するなどして構成してもよい。
【００３７】
【発明の効果】
以上の説明から明らかなように、本発明にあっては次に列挙する効果が得られる。
【００３８】
（１）座部となる部位よりも下部に少なくとも３個以上の車輪が取付けられた車椅子本体と、この車椅子本体の背もたれ部に、側方にスライド移動して突出することができるように取付けられたシートバックと、このシートバックに着脱可能に取付けられたシート材とで構成されているので、シート材を介助される人の背部に取付けた後に当該シート材をシートバックに取り付け、このシートバックを収納方向にスライド移動させることにより、ベッドと車椅子との移動を行うことができる。したがって、従来のような寝たきりの介助される人を抱えて持ち上げたりする作業をしなくても移動でき、容易に楽に移動させることができる。
【００３９】
（２）前記（１）によって、ベッドと車椅子との移動は、先ず、シート材のみを介助される人に取り付けてから行うので、確実にシート材上に介助される人を乗せてから移動させることができるとともに、従来の移動座席を備えた車椅子ように、移動座席上に介助される人を乗せる際に車椅子自体が邪魔になる等の不具合がないので、一人でもベッドと介助用車椅子間の移動を、重労働になることなく、容易にスムーズに行うことができる。
【００４０】
（３）前記（１）によって、容易に介助される人を車椅子に乗せたり、車椅子よりベッドに移動させることができるので、気軽に車椅子に散歩や入浴、トイレ等を行うことができる。
【００４１】
（４）請求項２、３、４も前記（１）〜（３）と同様の効果が得られる。
【図面の簡単な説明】
【図１】本発明の第１の実施の形態の側面図。
【図２】本発明の第１の実施の形態の正面図。
【図３】本発明の第１の実施の形態の背面図。
【図４】本発明の第１の実施の形態の動作説明図。
【図５】本発明の第１の実施のシートバックの説明図。
【図６】本発明の第１の実施の形態のシート材の説明図。
【図７】シート材上に介助される人を乗せた状態の説明図。
【図８】吊り上げ用バンドをシートバックに取付けた状態の説明図。
【図９】車椅子上に介助される人を乗せた状態の説明図。
【図１０】本発明の第２の実施の形態の側面図。
【図１１】本発明の第２の実施の形態の正面図。
【図１２】本発明の第２の実施の形態の背面図。
【図１３】本発明の第２の実施の形態の平面図。
【図１４】車椅子上に介助される人を乗せた状態の説明図。
【図１５】本発明の第３の実施の形態の側面図。
【図１６】本発明の第３の実施の形態の背面図。
【図１７】本発明の第４の実施の形態の側面図。
【図１８】本発明の第４の実施の形態の正面図。
【図１９】本発明の第４の実施の形態のシート材の説明図。
【図２０】本発明の第５の実施の形態の側面図。
【図２１】本発明の第５の実施の形態の平面図。
【図２２】本発明の第６の実施の形態の側面図。
【図２３】本発明の第６の実施の形態の正面図。
【図２４】本発明の第６の実施の形態の背面図。
【図２５】シートバックおよびシート材の説明図。
【符号の説明】
１、１Ａ〜１Ｅ：車椅子、          ２：リクライニングベッド、
３：介助される人、                ４：座部、
５：自在車輪、                    ６：固定車輪、
７：補助車輪、                    ８、８Ａ：車椅子本体、
９：背もたれ部、                  １０：第１のスライド支持バー、
１１、１１Ａ、１１Ｂ：可動部材、  １２：第２のスライド支持バー、
１３、１３Ａ〜１３Ｃ：シートバック、
１４：フック、
１５、１５Ａ〜１５Ｃ：吊り上げ用バンド、
１６、１６Ａ〜１６Ｃ：シート材、  １７：フレーム、
１８：取っ手、                    １９：足支持台、
２０：足押さえ板、                ２１：可動部材本体、
２２、２２Ａ：支持板、            ２３、２３Ａ：シートバック本体、
２４：複数個のネジ、              ２５：支持体、
２６：係止片、                    ２７：係合片、
２８：支持ベルト、                ２９、２９Ａ：補強フレーム、
３０、３０Ａ〜３０Ｃ：シート本体、
３１：支持金具、                  ３２、３２Ａ：可動アーム、
３３：固定用金具、                ３４、３４Ａ：支持柱、
３５、３５Ａ：アーム本体、        ３６：フック、
３７：シート保持バー固定用金具、  ３８：固定金具、
３９：固定金具、                  ４０：フック、
４１：シート保持バー、            ４２：固定機構、
４３：ふくらはぎクッション、      ４４：固定板、
４５：ボルト、                    ４６：ナット、
４７：固定部材、                  ４８：肘のせ、
４９：取付金具、                  ５０：垂下バンド、
５１：ボルト、                    ５２：分割支持金具、
５３：枢支ピン、                  ５４：補強パイプ。
【図１】
2005034164.tif 000003
【図２】
2005034164.tif 000004
【図３】
2005034164.tif 000005
【図４】
2005034164.tif 000006
【図５】
2005034164.tif 000007
【図６】
2005034164.tif 000008
【図７】
2005034164.tif 000009
【図８】
2005034164.tif 000010
【図９】
2005034164.tif 000011
【図１０】
2005034164.tif 000012
【図１１】
2005034164.tif 000013
【図１２】
2005034164.tif 000014
【図１３】
2005034164.tif 000015
【図１４】
2005034164.tif 000016
【図１５】
2005034164.tif 000017
【図１６】
2005034164.tif 000018
【図１７】
2005034164.tif 000019
【図１８】
2005034164.tif 000020
【図１９】
2005034164.tif 000021
【図２０】
2005034164.tif 000022
【図２１】
2005034164.tif 000023
【図２２】
2005034164.tif 000024
【図２３】
2005034164.tif 000025
【図２４】
2005034164.tif 000026
【図２５】
2005034164.tif 000027